(57)【要約】【課題】ブラッシングするときに発生する静電気を除去して衣服に付着している花粉を払拭することができる静電気除去ブラシを提供する。更に、除去した静電気が帯電しているブラシをアースするとき、アース部が衣類に引っ掛かることがなく、また衣類によりアース部が破損されることなく、しかも人を介してアースさせることができる静電気除去ブラシを提供する。【解決手段】本体部２に導電性繊維４を植設し、導電性繊維４に密接し本体部２から把持部３に亙って内設されている通電性金属６と、把持部３に打設されているピン７とを連結させた。【選択図】図１
0003120887.tif 000002
【実用新案登録請求の範囲】
【請求項１】
本体部に導電性繊維を植設し、前記導電性繊維に密接した通電性金属を把持部まで引き出した静電気除去ブラシであって、衣服に付着している花粉の払拭を目的に使用することを特徴とする静電気除去ブラシ。
【請求項２】
請求項１に記載の静電気除去ブラシであって、前記通電性金属を前記本体部から前記把持部に亙って内設し、前記把持部に打設されている通電性を有するピンと連結させたことを特徴とする静電気除去ブラシ。
【請求項３】
請求項１若しくは２に記載の静電気除去ブラシであって、前記本体部に動物性繊維若しくは植物性繊維から成るブラッシング繊維を混在して植設させたことを特徴とする静電気除去ブラシ。
【請求項４】
請求項１乃至３のいずれかに記載の静電気除去ブラシであって、前記導電性繊維が導電処理されている化学繊維であることを特徴とする静電気除去ブラシ。
【考案の詳細な説明】
【技術分野】
【０００１】
本考案は、静電気除去ブラシに関し、更に詳しくはブラッシングするときに発生する静電気を除去して衣服に付着している花粉を払拭することができる静電気除去ブラシに関する。
【背景技術】
【０００２】
従来、衣服用のブラシには、ブラッシング機能に優れる動物性繊維が植設されているブラシが用いられているが、動物性繊維はブラッシングするときに静電気が発生し易い。そのため、衣服に付着している花粉を払拭するためにブラッシングすると、ブラッシングにより発生した静電気で払拭した花粉が再度衣服に付着してしまうので、花粉を払拭することができないという不都合が生じていた。
【０００３】
このため、下記特許文献１においては、動物性繊維の間に金属材若しくは静電気防止加工を施した樹脂材を混在して植設し、ブラッシングするときに発生する静電気を除去することが開示されている。また、下記特許文献２においては、自己放電するように加工されたプラスチック繊維を適宜束ねた状態で本体部に突設すると共に、プラスチック繊維の基部に連結しているアース紐を本体部から引き出して把持部の表面に配置し、ブラッシングするときに発生する静電気をプラスチック繊維で除去すると共に、プラスッチク繊維に連結しているアース紐に人が接触することで、除去したことによりプラスチック繊維に帯電している静電気を人を介してアースすることが開示されている。
【０００４】
しかし、洋服に付着している花粉の払拭を目的に、上記ブラシを使用することについては、何ら示唆も記載もなかった。また、上記構成であると把持部に配置されているアース紐は把持部の表面に露出しているので、アース紐がブラッシング対象物に引っ掛かって傷付けたり、また逆にアース紐がブラッシング対象物により破損されたりする虞があった。更に、静電気を除去する導電性繊維が金属材若しくはプラスチック繊維であると剛性が高く衣類を傷付ける虞があり、特定の衣類に使用した場合に衣類を傷付ける虞があり、付着した花粉を払拭するために使用するには不向きであった。
【０００５】
【特許文献１】特開２００３−３８２５３号公報
【特許文献２】実開昭６３−１６９９２９号公報
【考案の開示】
【考案が解決しようとする課題】
【０００６】
本考案は、かかる上述の問題点を解決するためになされたものであって、その目的とするところは、ブラッシングするときに発生する静電気を除去し衣服に付着している花粉を払拭することができる静電気除去ブラシを提供することである。
【０００７】
また、他の目的は、除去した静電気が導電性繊維に帯電しているブラシをアースするとき、アース部が衣類に引っ掛かることがなく、また衣類によりアース部が破損されることなく、しかも人を介して容易にアースさせることができる静電気除去ブラシを提供することである。
【課題を解決するための手段】
【０００８】
上記目的を達成するため、本考案の請求項1に係る静電気除去ブラシは、本体部に導電性繊維を植設し、前記導電性繊維に密接した通電性金属を把持部まで引き出した静電気除去ブラシであって、衣服に付着している花粉の払拭を目的に使用することを特徴とするものである。
【０００９】
更に、本考案の請求項２に係る静電気除去ブラシは、請求項１に記載の静電気除去ブラシであって、前記通電性金属を前記本体部から前記把持部に亙って内設し、前記把持部に打設されている通電性を有するピンと連結させたことを特徴とするものである。
【００１０】
更に、本考案の請求項３に係る静電気除去ブラシは、請求項１若しくは２に記載の静電気除去ブラシであって、前記本体部に動物性繊維若しくは植物性繊維から成るブラッシング繊維を混在して植設させたことを特徴とするものである。
【００１１】
更に、本考案の請求項４に係る静電気除去ブラシは、請求項１乃至３のいずれかに記載の静電気除去ブラシであって、前記導電性繊維が導電処理されている化学繊維であることを特徴とするものである。
【考案の効果】
【００１２】
本考案は、以下の効果を奏する。
【００１３】
すなわち、上記構成を備えた請求項１に係る考案は、本体部に植設されている導電性繊維でブラッシングするので静電気が発生しないし、また衣服に静電気が帯電している場合には、その静電気を導電性繊維で除去することができ、衣服に付着している花粉を静電気で阻害されることなく払拭することができる。更に、静電気が帯電している導電性繊維と密接している通電性金属を把持部まで引き出しているのでブラッシングするときに人を介してアースすることができ、ブラシに帯電している静電気を持続的に放電することができる。
【００１４】
これに加えるに請求項２に係る考案は、通電性金属は本体部から把持部に亙って内設されていて表面に出ていないので、ブラッシングするときに通電性金属が衣服と接触することがなく衣服を傷付けるのを防止することができる。しかも通電性金属と連結しているピンは把持部に打設されていて、ブラシの把持部を握るときにピンは手の内に収まるのでピンによって衣服を傷付けることも防止することができる。また逆に、衣服が通電性金属を引っ掛け破損させることもなく、アースが切断されるのを防止することもできる。
【００１５】
これに加えるに請求項３に係る考案は、本体部に導電性繊維とブラッシング繊維が混在して植設されているので、ブラッシング繊維で衣服に付着している花粉を払拭するときに発生する静電気を導電性繊維で除去することができ、払拭した花粉を静電気により衣服に再度付着させることなく、ブラッシング機能の優れるブラッシング繊維で効率よく衣服に付着している花粉及び埃等の異物を払拭することができる。
【００１６】
これに加えるに更に、請求項４に係る考案は、導電性繊維が化学繊維であるので繊維が細く剛性を低く設定することができ、繊細な織物で縫製されている衣服に対しても傷付けることなくブラッシングすることができる。
【考案を実施するための最良の形態】
【００１７】
つぎに本考案の実施例を図面にしたがって説明する。
【００１８】
本考案に係るブラシは衣服に付着している花粉を払拭するために用いる静電気除去ブラシであって、図１に示す通り、この静電気除去ブラシ１は、本体部２と、その本体部２と一体で成形されている把持部３と、本体部２に植設されている導電性繊維４及びブラッシング繊維５と、本体部２から把持部３に亙って内設されている通電性金属６と、把持部３に打設されている通電性を有するピン７とを備えている。
【００１９】
本体部２と把持部３とは、栓、樫、ブナ等の木材を材料とし一体で成形されているが、長手方向に沿って分割されおり、後述する導電性繊維４とブラッシング繊維５とが植設されている本体内側部２１及び後述するピン７が打設されている把持内側部３１とからなる内側部２Ａ、背面側の本体背面部２２及び把持背面部３２とからなる背面部２Ｂとから構成されている。
【００２０】
図２に示す通り、本体内側部２１の本体内側端面２１Ａには所定の間隔で穴部２３が形成されている。その穴部２３は、本体分割面２１Ｂまで達する貫通している穴部２３であり、その本体分割面２１Ｂには、後述する導電性金属６が配置されるので、貫通している穴部２３の底は導電性金属６により塞がれることになる。なお、穴部２３には、後述する導電性繊維４、及びブラッシング繊維５が長手方向に延びる列毎に区分されて植設される。
【００２１】
導電性繊維４は、静電気を除去することができるように導電処理されているナイロン（登録商標）・アクリル等の化学繊維若しくは炭素繊維からなり、ブラッシング繊維５は、猪、馬等の動物性繊維若しくは木、竹等の植物よりなる植物繊維からなり、図３に示す通り、夫々所定本数毎に束ねられて留め金８の位置で折り返され、折り返し部４１が穴部２３に植設されている。図２に示すように本実施例の穴部２３は長手方向に５列形成されていて、最外側の両列（１Ｒと５Ｒ）と中央列３Ｒの計３列の穴部２３に導電性繊維４として化学繊維が植設されていて、最外側の両列（１Ｒと５Ｒ）と中央列３Ｒとの間の２列（２Ｒと４Ｒ）の穴部２３にブラッシング繊維５として動物性繊維が植設されている。なお、導電性繊維４として導電処理されている化学繊維を用いると繊維を細くすることができ、その結果剛性を低下させることができるので、繊細な織物で縫製されている衣服をブラッシングするブラシに用いるときに適している。
【００２２】
通電性金属６は、図４に示す通り、銅・金銀等の通電性のある金属で、箔程度の薄さの板状に成形され、本体部２の穴部２３が形成されている位置全面であって把持部３の後述するピン７が打設されるまでの位置に、一体成形されたものが配置され、内側部２Ａと背面部２Ｂとの分割面に挟持されるようにして内設される。なお、図５に示すように、本体部２においては、導電性繊維４が植設される穴部２３の位置にだけ線状通電性金属６１が配置され、その線状通電性金属６１が把持部３に配置されている板状の通電性金属６と本体部２の把持部側端部に位置する収束部６２で結合している場合であってもよい。したがって、図３に示す通り、導電性繊維４の折り返し部４１が穴部２３に植設され、折り返し部４１に挟まれている留め金８が通電性金属６を貫通して本体背面部２２に打ち込まれることで導電性繊維４が固定され、導電性繊維４の折り返し部４１と通電性金属６とが密接することになる。
【００２３】
把持内側部３１の把持内側端面３１Ａには、銅・金銀等の通電性のある金属で成形されたピン７が幅方向略中央の位置に２箇所打設されている。ピン７は把持内側部３１を貫通し把持分割面３１Ｂまで達していて、これにより通電性金属６とピン７とが連結されている。
【００２４】
上記構成においては、導電性繊維４の間に混在して植設されているブラッシング機能の優れる動物性繊維からなるブラッシング繊維５でブラッシングするので衣服に付着している花粉・埃等の異物を払拭することが可能となり、そのときに発する静電気は、化学繊維から成る導電性繊維４が除去するので、花粉が静電気により衣服に再度付着することなく、衣服より花粉を全て払拭することができる。
【００２５】
また、除去した静電気が帯電している導電性繊維４は、折り返し部４１が通電性金属６に密接しており、その通電性金属６が把持部３の把持内側端面３１Ａに打設されているピン７と連結しているので、把持部３を握ってブラッシングするとき手がピン７に必然的に接触することになり、人を介して確実にアースすることができ、帯電している静電気を持続的に放電することが可能となる。しかも、ピン７の表面に出ているピン頭部７Ａは手の内に隠れるのでピン７で衣服を傷付けるのを防止することも可能となる。更に、通電性金属６は内設されているので外観上の見栄えもよく、また通電性金属６で衣服を傷付けるのを防止することも可能となると共に、衣服が通電性金属６を破損しアースが切断されるのを防止することも可能となる。
【００２６】
更に、導電性繊維４に化学繊維を使用すると１本ごとの繊維が細く剛性を低く抑えることが可能となるので、繊細な生地で縫製されている衣服を傷めることなくブラッシングすることが可能となる。
【００２７】
なお、本発明では、導電性繊維４とブラッシング繊維５を混在させた場合について説明したが、ブラッシング繊維５を植設しないで導電性繊維４のみを植設したものであってもよく、また導電性繊維４として、化学繊維ではなく他の導電性を有する繊維、例えばカーボン繊維を使用した場合であっても良い。
【００２８】
なお、本考案は、衣服に付着している花粉の払拭を目的としたブラシとして使用するのに適しているが、犬猫等の愛玩動物に付着したごみ等の異物(花粉を含む)を払拭するために使用してもよい。
【図面の簡単な説明】
【００２９】
【図１】本考案の一実施例である静電気除去ブラシの長手方向断面図である。
【図２】同静電気除去ブラシの幅方向断面図である。
【図３】図１におけるＸ部の拡大図である。
【図４】内側部の分割面側から見た説明図である。
【図５】内側部の分割面側から見た別の説明図である。
【符号の説明】
【００３０】
１  静電気除去洋服ブラシ
２  本体部
２Ａ、２１，３１  内側部
２Ｂ、２２，３２  背面部
２１Ａ，３１Ａ  内側端面
２１Ｂ，３１Ｂ  分割面
２３  穴部
３  把持部
４  導電性繊維
４１  折り返し部
５  ブラッシング繊維
６，６１  通電性金属
６２  収束部
７  ピン
７Ａ  ピン頭部
８  留め金
【図１】
0003120887.tif 000003
【図２】
0003120887.tif 000004
【図３】
0003120887.tif 000005
【図４】
0003120887.tif 000006
【図５】
0003120887.tif 000007